(57)【特許請求の範囲】
【請求項１】
本体と、
底壁と上記底壁に連なる周壁とを有するリヤパネルと、上記リヤパネルに連結されるとともに開口部を有するフロントパネルと、を有するディスプレイハウジングと、このディスプレイハウジングに収容される液晶表示装置とを有するディスプレイユニットと、
上記本体と上記ディスプレイユニットとを回動可能に連結するヒンジ機構と、
を具備し、
上記本体の内部と上記ディスプレイハウジングの内部とに亘って設けられるヒンジ軸と、
上記ヒンジ軸の一端部に軸支されるとともに、上記本体の内部にねじ固定される第１のヒンジブラケットと、
上記ヒンジ軸の他端部に固定されるとともに、上記ディスプレイハウジングにねじ固定される第２のヒンジブラケットと、を具備し、
上記第２のヒンジブラケットは、
上記第１のヒンジブラケットから上記液晶表示装置の高さ方向の略全長に亘って延び、上記周壁に対面するように上記液晶表示装置と上記周壁との間に起立して配置され、上記周壁の外側面からねじ固定されるとともに、上記液晶表示装置の側縁部にねじ固定されることを特徴とする携帯形機器。
【請求項２】
本体と、
底壁と上記底壁に連なる周壁とを有するリヤパネルと、上記リヤパネルに連結されるとともに開口部を有するフロントパネルと、を有するディスプレイハウジングと、このディスプレイハウジングに収容される液晶表示装置とを有するディスプレイユニットと、
上記本体と上記ディスプレイユニットとを回動可能に連結するヒンジ機構と、
を具備し、
上記本体の内部と上記ディスプレイハウジングの内部とに亘って設けられるヒンジ軸と、
上記ヒンジ軸の一端部に軸支されるとともに、上記本体の内部にねじ固定される第１のヒンジブラケットと、
上記ヒンジ軸の他端部に固定されるとともに、上記ディスプレイハウジングにねじ固定される第２のヒンジブラケットと、を具備し、
上記第２のヒンジブラケットは、
上記第１のヒンジブラケットから上記液晶表示装置の高さ方向の略全長に亘って延び、上記周壁に対面するように上記液晶表示装置と上記周壁との間に起立して配置される部分を有し、この部分に面接触するように、上記ディスプレイハウジングをその周壁の外側面からねじ固定されることを特徴とする携帯形機器。
【発明の詳細な説明】
【０００１】
【発明の属する技術分野】
この発明は、ポータブルコンピュータあるいはワードプロセッサのような携帯形機器に関する。
【０００２】
【従来の技術】
ポータブルコンピュータのような携帯形機器は、キーボードを有するコンピュータ本体と、液晶表示装置を内蔵したディスプレイユニットとを備えている。ディスプレイユニットは、ヒンジ機構を介して前記コンピュータ本体に支持されており、前記キーボードを上方から覆う閉じ位置と、このキーボードの後方において起立する開き位置とに亘って回動可能となっている。
【０００３】
ディスプレイユニットは、液晶表示装置を収容する合成樹脂製のディスプレイハウジングを備えている。ディスプレイハウジングは、液晶表示装置よりも僅かに大きいサイズの底壁と、この底壁の外周縁から立ち上がる周壁とを有する偏平な箱状であり、底壁にはねじ穴を有する複数のボスが突設されている。液晶表示装置の周縁部には前記ボスに対応して取付け孔が設けられ、液晶表示装置側から締付けねじを前記ねじ穴にねじ込むことにより、液晶表示装置をディスプレイハウジングに固定している。
【０００４】
【発明が解決しようとする課題】
最近のポータブルコンピュータあるいはワードプロセッサのような携帯形機器は、薄形、軽量化を図るためにディスプレイハウジングが薄肉に形成されている。これに対し、液晶表示装置は画面を見易いように大型化される傾向にあり、ディスプレイハウジングと略同一サイズに形成されている。それにも拘わらず、液晶表示装置はその周縁部をディスプレイハウジングの底壁から突出するボスに締付ねじによって固定しているにすぎない。
【０００５】
したがって、コンピュータ本体に支持されたディスプレイハウジングを閉じ位置と開き位置との間で回動させると、ディスプレイハウジングの強度不足に伴って液晶表示装置が撓んだり、反りが生じることがある。この結果、液晶表示装置の画面に色むらや縞ができてしまうという問題がある。
【０００６】
この発明は、前記事情に着目してなされたもので、その目的とするところは、ディスプレイハウジングに液晶表示装置を強固に固定でき、液晶表示装置の撓みや反りを防止できる携帯形機器を提供することにある。
【０００７】
【課題を解決するための手段】
前記目的を達成するために、本発明の携帯形機器は、本体と、底壁と上記底壁に連なる周壁とを有するリヤパネルと、上記リヤパネルに連結されるとともに開口部を有するフロントパネルと、を有するディスプレイハウジングと、このディスプレイハウジングに収容される液晶表示装置とを有するディスプレイユニットと、上記本体と上記ディスプレイユニットとを回動可能に連結するヒンジ機構と、を具備し、上記本体の内部と上記ディスプレイハウジングの内部とに亘って設けられるヒンジ軸と、上記ヒンジ軸の一端部に軸支されるとともに、上記本体の内部にねじ固定される第１のヒンジブラケットと、上記ヒンジ軸の他端部に固定されるとともに、上記ディスプレイハウジングにねじ固定される第２のヒンジブラケットと、を具備し、上記第２のヒンジブラケットは、上記第１のヒンジブラケットから上記液晶表示装置の高さ方向の略全長に亘って延び、上記周壁に対面するように上記液晶表示装置と上記周壁との間に起立して配置され、上記周壁の外側面からねじ固定されるとともに、上記液晶表示装置の側縁部にねじ固定されることを特徴とする。
【００１０】
この構成によれば、ブラケットで補強されたディスプレイハウジングに液晶表示装置を強固に固定することができ、ディスプレイユニットの回動時の液晶表示装置の変形を防止できる。
【００１２】
【発明の実施の形態】
以下、この発明の実施の形態を図面に基づいて説明する。
図１〜図１０はポータブルコンピュータに適用した第１の実施形態を示し、図１はＡ４サイズのブック形のポータブルコンピュータの斜視図、図２は同一部を切欠した斜視図、図３は同ディスプレイハウジングを示し、（ａ）は正面図、（ｂ）は側面図である。
携帯形機器としてのポータブルコンピュータ１は、コンピュータ本体２と、このコンピュータ本体２に支持されたディスプレイユニット３とを備えている。
【００１３】
コンピュータ本体２は、合成樹脂製の偏平な箱状をなす本体ハウジング４を有している。この本体ハウジング４は、平坦な底壁５ａと、この底壁５ａと向かい合う上壁５ｂと、これら底壁５ａおよび上壁５ｂの周縁に連なる四つの周壁５ｃとを有している。底壁５ａと上壁５ｂは、本体ハウジング４の幅方向および奥行き方向に延びている。周壁５ｃは、底壁５ａの周縁から起立されており、本体ハウジング４の厚み方向に延びている。
【００１４】
本体ハウジング４の内部には、回路基板やハードディスク駆動装置（いずれも図示せず）が収容されているとともに、本体ハウジング４の上壁５ｂには、キーボード６やクリックスイッチボタン７ａ，７ｂが配置されている。さらに、上壁５ｂの後端部には中空の凸部８が形成されている。
【００１５】
前記ディスプレイユニット３は、ディスプレイハウジング１０と、このディスプレイハウジング１０に収容された液晶表示装置１１とを備えている。液晶表示装置１１は、表示画面を有する表示パネル１１ａと、この表示パネル１１ａを支持するフレーム１１ｂとを有している。ディスプレイハウジング１０は、リヤパネル１２と、このリヤパネル１２に連結されたフロントパネル１３とで構成され、全体として偏平な箱状をなしている。
【００１６】
リヤパネル１２は、合成樹脂製であり、内底面としての平坦な底壁１４と、この底壁１４の周縁に連なる周壁１５とを有している。底壁１４は、ディスプレイハウジング１０の幅方向および奥行き方向に延びている。周壁１５は、底壁１４の周縁からディスプレイハウジング１０の厚さ方向に立ち上がっている。
【００１７】
フロントパネル１３は、前壁１６と、この前壁１６の周縁に連なる周壁１７とを有している。前壁１６は、底壁１４と向かい合っている。この前壁１６には、開口部１８が形成されている。この開口部１８は、前壁１６の略全面に亘るような大きさを有している。周壁１７は、リヤパネル１２の周壁１５に突き合わされており、この周壁１５と協働してディスプレイハウジング１０の四つの周面を構成している。
【００１８】
ディスプレイハウジング１０の周壁１５の下縁部は、リヤパネル１２とフロントパネル１３とによって中空部１９に形成され、この中空部１９には本体ハウジング４の凸部８に嵌合する凹部２０が設けられている。さらに、中空部１９の左右両端部には本体ハウジング４に対してディスプレイハウジング１０を回動自在に枢支する第１および第２のヒンジ機構２１，２２が設けられている。
【００１９】
まず、第１のヒンジ機構２１について説明すると、図４〜図８に示すように、本体ハウジング４の上壁５ｂの後端部に位置する左側部には嵌合凹部２３が設けられ、この嵌合凹部２３にディスプレイハウジング１０の周壁１５の下縁部に設けられた嵌合凸部２４が嵌合されている。嵌合凹部２３の側壁２３ａと嵌合凸部２４の側壁２４ａとは対向しており、この対向する夫々の側壁２３ａ，２４ａに貫通孔２３ｂ，２４ｂが穿設されている。
【００２０】
貫通孔２３ｂ，２４ｂにはヒンジ軸２５が貫通して設けられ、ヒンジ軸２５の一端部は本体ハウジング４の内部に突出し、他端部はディスプレイハウジング１０の中空部１９に突出している。そして、ヒンジ軸２５の一端部は本体ハウジング４の内部の上壁５ｂの裏面に取付けねじ２６ａによって固定されたヒンジ構成部材としての金属製の第１のヒンジブラケット２６に回動自在に軸支されている。ディスプレイハウジング１０の中空部１９に突出するヒンジ軸２５の他端部にはヒンジ構成部材としての金属製の第２のヒンジブラケット２７が固定されている。
【００２１】
第２のヒンジブラケット２７はヒンジ軸２５と直角の第１の板面２７ａと、この第１の板面２７ａと直角に折曲された第２の板面２７ｂを有し、この第２の板面２７ｂがディスプレイハウジング１０のリヤパネル１２に取付けねじ２８によって固定されている。
【００２２】
さらに、第２のヒンジブラケット２７は、第１の板面２７ａに対して直角に折曲された第３の板面２７ｃを有している。第３の板面２７ｃはディスプレイハウジング１０のリヤパネル１２の内部に延長し、前記液晶表示装置１１を固定するための第１のブラケット２９ａを構成している。
【００２３】
前記第２のヒンジ機構２２は、基本的には第１のヒンジ機構２１と同一であり、同一構成部分には同一番号を付して説明するが、ヒンジ軸２５の一端部を回動自在に軸支する第１のヒンジブラケット２６の下端部にはＬ字状に延長する延長板３０が設けられている。そして、第１のヒンジブラケット２６の延長板３０の基端部と先端部が本体ハウジング４の上壁５ｂの裏面に取付けねじ３０ａ，３０ｂによって固定されている。第２のヒンジブラケット２７にも前述した第１のヒンジ機構２１と同様に、ディスプレイハウジング１０のリヤパネル１２の内部に延長する部分を有し、前記液晶表示装置１１を固定するための第２のブラケット２９ｂを構成している。
【００２４】
したがって、第１のヒンジ機構２１には第２のヒンジブラケット２７と一体の第１のブラケット２９ａが設けられ、第２のヒンジ機構２２には第２のヒンジブラケット２７と一体の第２のブラケット２９ｂが設けられている。そして、第１、第２のブラケット２９ａ，２９ｂはディスプレイハウジング１０の左右両側部におけるリヤパネル１２の内部に左右対称的に設けられている。
【００２５】
また、第１、第２のブラケット２９ａ，２９ｂはディスプレイハウジング１０の高さ方向の略全長に亘って設けられ、リヤパネル１２の底壁１４と周壁１５に対して対面するように断面Ｌ字状に折曲され、底面部３１と立上がり部３２を有し、第１、第２のブラケット２９ａ，２９ｂの強度を図っている。
【００２６】
図９に示すように、第１、第２のブラケット２９ａ，２９ｂの基端部と先端部には底面部３１より持上がり段差を有した取付け部３３が形成され、この取付け部３３には取付け孔３４が設けられ、これら取付け孔３４に対向するリヤパネル１２の底壁１４にはねじ穴３５ａを有するボス３５が設けられている。
【００２７】
また、第１、第２のブラケット２９ａ，２９ｂの各取付け部３３の近傍に位置する立上がり部３２にはねじ穴３６が設けられ、これらねじ穴３６に対向するリヤパネル１２の周壁１５には、外面側に凹部３７、内面側に凸部３８となる固定部３９が一体に成形され、凹部３７の底部にはねじ穴３６に対向する貫通孔３９が穿設されている。
さらに、凸部３８の内側にはリヤパネル１２の底壁１４から突出する支持片４０が設けられ、凸部３８と支持片４０との間に前記第１、第２のブラケット２９ａ，２９ｂの立上がり部３２が介在されている。そして、凹部３７側から取付けねじ４１を貫通孔３９に挿通し、ねじ穴３６にねじ込むことにより、第１、第２のブラケット２９ａ，２９ｂがリヤパネル１２の周壁１５に固定されている。
【００２８】
さらに、第１、第２のブラケット２９ａ，２９ｂの底面部３１の下面とリヤパネル１２の底壁１４との間には間隙４２が形成されており、この間隙４２に一部を差し込み、前記第１、第２のブラケット２９ａ，２９ｂにアースばね４３が差し込み固定されている。アースばね４３は、図１０に示すように、ばね性を有する帯状金属板をその長手方向に亘って略コ字状に折曲した基本形状であり、狭幅の上板４３ａと広幅の下板４３ｂとが垂直連結板４３ｃによって連結されている。
【００２９】
上板４３ａには下側に切り起した例えば３個の係合片４４が等間隔に設けられ、下板４３ｂには下側に切り起した多数の弾性片４５が等間隔に設けられている。そして、このアースばね４３は下板４３ｂを第１、第２のブラケット２９ａ，２９ｂの底面部３１の下面とリヤパネル１２の底壁１４との間の間隙４２に差し込むことで、上板４３ａが第１、第２のブラケット２９ａ，２９ｂの上面に重なるようになっている。第１、第２のブラケット２９ａ，２９ｂには係合片４４に弾性的に係合する複数の角孔４６が穿設されている。
【００３０】
このようにアースばね４３を第１、第２のブラケット２９ａ，２９ｂに差し込むことにより、多数の弾性片４５がリヤパネル１２の底壁１４に弾性的に圧接状態となる。リヤパネル１２の底壁１４の内面には液晶表示装置１１を磁気シールドするための導電層１４ａが形成されており、この導電層１４ａと第１、第２のブラケット２９ａ，２９ｂとがアースばね４３を介して導通されることになる。
【００３１】
また、図９に示すように、前記液晶表示装置１１の表示パネル１１ａに設けられたフレーム１１ｂにはリヤパネル１２の底壁１４に設けられたねじ穴３５ａに対応して貫通孔４６が穿設されている。そして、フレーム１１ｂの左右両側縁を第１、第２のブラケット２９ａ，２９ｂに押し当て、取付けねじ４７を貫通孔４６、取付け孔３４に挿通し、ねじ穴３５ａにねじ込むことにより、液晶表示装置１１および第１、第２のブラケット２９ａ，２９ｂがリヤパネル１２に固定されている。
【００３２】
前記液晶表示装置１１をリヤパネル１２に固定する取付けねじ４７の頭部は、前記フロントパネル１３の前壁１６によって覆い隠されている。
【００３３】
このような構成によれば、第１、第２のヒンジ機構２１，２２を構成する第２のヒンジブラケット２７に第１、第２のブラケット２９ａ，２９ｂを一体に設け、ディスプレイハウジング１０の内部に延長することにより、本体ハウジング４とディスプレイハウジング１０との連結強度を高めることができる。
【００３４】
さらに、ディスプレイハウジング１０の内部に入り込む第１、第２のブラケット２９ａ，２９ｂをリヤパネル１２の周壁１５に沿わせて配置することにより、リヤパネル１２を第１、第２のブラケット２９ａ，２９ｂによって補強でき、液晶表示装置１１をリヤパネル１２の底壁１４に設けたボスに固定する場合に比較して強固に固定できる。
【００３５】
また、第１、第２のブラケット２９ａ，２９ｂに液晶表示装置１１の両側縁を固定することにより、リヤパネル１２の周壁１５の近傍に位置する底壁１４にボスを収めるための無駄なスペースを確保する必要はなく、液晶表示装置１１の一側部と周壁１５との間のデッドスペースを極力狭めることができる。
したがって、ディスプレイハウジング１０を大型化することなく、このディスプレイハウジング１０の内部の実装スペースを幅方向に広げることができる。よって、液晶表示装置１１ひいては表示パネル１１ａの大型化が可能となり、表示パネル１１ａの画面の視認性を向上できる。
【００３６】
なお、前記実施形態によれば、第１、第２のヒンジ機構２１，２２を構成する第２のヒンジブラケット２７に第１、第２のブラケット２９ａ，２９ｂを一体に設け、これら第１、第２のブラケット２９ａ，２９ｂに液晶表示装置１１の左右両側部を固定したが、ディスプレイハウジング１０の下縁部および上縁部にも第１、第２のブラケット２９ａ，２９ｂから延びる延長部を設けてもよい。このように構成することにより、ディスプレイハウジング１０の補強強度が増し、また液晶表示装置１１を一層強固に固定できる。
【００３７】
また、第１、第２のブラケット２９ａ，２９ｂを第１、第２のヒンジ機構２１、２２の構成する第２のヒンジブラケット２７に一体に設けたが、別体構造で、ディスプレイハウジング１０の両側部に高さ方向の略全長に亘って設けてもよい。  なお、この発明に係る携帯形機器は、ポータブルコンピュータに特定されるものではなく、例えばワードプロセッサのような文章作成用機器にも同様に実施可能である。
【００３８】
【発明の効果】
以上詳述した本発明によれば、ディスプレイハウジングに液晶表示装置を強固に固定でき、ディスプレイユニットを回動させた時の液晶表示装置の撓みや反りを防止することができる。
【図面の簡単な説明】
【図１】この発明の第１の実施形態に係るポータブルコンピュータの斜視図。
【図２】同実施形態のポータブルコンピュータの一部切欠した斜視図。
【図３】同実施形態のディスプレイハウジングを示し、（ａ）はハウジング内部の正面図、（ｂ）は側面図。
【図４】同実施形態の本体ハウジング、ディスプレイハウジングを示し、（ａ）は左側面図、（ｂ）右側面図。
【図５】同実施形態の本体ハウジング、ディスプレイハウジングの背面図。
【図６】図２のＡ部を拡大して示す斜視図。
【図７】図２のＢ部を拡大して示す斜視図。
【図８】図３のＣ部を拡大して示す斜視図。
【図９】  （ａ）は図８のＤ−Ｄ線に沿う断面図、（ｂ）は図８のＦ−Ｆ線に沿う断面図、（ｃ）は図８のＥ−Ｅ線に沿う断面図。
【図１０】同実施形態のアースばねを示し、（ａ）は平面図、（ｂ）はＧ−Ｇ線に沿う拡大した断面図。
【符号の説明】
２…本体（コンピュータ本体）、５ａ…底壁、５ｃ…周壁、１０…ディスプレイハウジング、１１…液晶表示装置、２１，２２…ヒンジ機構（第１、第２のヒンジ機構）、２９ａ，２９ｂ…ブラケット（第１、第２のブラケット）、３１…第１の部分（底面部）、３２…第２の部分（立上がり部）、４１，４７…取付けねじ。
【図１】
0003725633.tif 000002
【図２】
0003725633.tif 000003
【図３】
0003725633.tif 000004
【図４】
0003725633.tif 000005
【図５】
0003725633.tif 000006
【図６】
0003725633.tif 000007
【図７】
0003725633.tif 000008
【図８】
0003725633.tif 000009
【図９】
0003725633.tif 000010
【図１０】
0003725633.tif 000011